(57)【要約】【課題】結露の発生を防止し、常に最適な印刷物を得ることができるようにしたグラビア印刷機のインキ供給装置を提供することである。【解決手段】版胴１の一側に設けられたインキ供給ケース１１に密閉状のインキ供給室１５と、インキ供給口１７からそのインキ供給室１５内に供給された水溶性インキを版胴１の外周に流しかけるインキ流出口１６とを設ける。インキ供給室１５の頂壁となるカバー１３の上面にヒータ２１を取付け、そのヒータ２１の発熱によりカバー１３を温めて、インキ供給室１５内と外気の温度差によってカバー１３の下面に結露が発生するのを防止する。【選択図】図２
2005074895.tif 000002
【特許請求の範囲】
【請求項１】
外周にセルが形成された版胴の一側上部に、版胴の軸方向に長く延びるインキ供給ケースを設け、そのインキ供給ケースに密閉状のインキ供給室と、そのインキ供給室内に水溶性インキを供給するインキ供給口と、そのインキ供給口からインキ供給室内に供給された水溶性インキを版胴における外周の軸方向のほぼ全長にわたって流しかけるインキ流出口とを設けたグラビア印刷機のインキ供給装置において、前記インキ供給ケースの上面に通電により発熱するヒータを取付けたことを特徴とするグラビア印刷機のインキ供給装置。
【発明の詳細な説明】
【技術分野】
【０００１】
この発明は、版胴の外周に形成されたセルに水溶性インキを供給するグラビア印刷機のインキ供給装置に関するものである。
【背景技術】
【０００２】
図４は、従来から知られているグラビア印刷機を示す。このグラビア印刷機は、外周に微細なセルが形成された版胴１を圧胴２に対設し、その版胴１と圧胴２間にウエブＷを挿通し、このウエブＷを高速走行させて、版胴１でウエブＷの片面に適宜の印刷を連続して印刷するようにしている。
【０００３】
上記のようなグラビア印刷機においては流動性の高いインキが採用される。そのようなインキとして水溶性インキが知られ、ウエブＷを高速走行させて印刷を行なう高速機では、水溶性インキを版胴１の外周に噴流状に流しかけるインキ供給方法が採用されている。
【０００４】
また、水溶性インキを採用するグラビア印刷機においては、版胴１と圧胴２間を通過した印刷後のウエブＷを圧胴２の上側に設けられた乾燥室４０内に導いて乾燥処理し、乾燥処理後のウエブＷをタンデムに配置された複数のグラビア印刷機のそれぞれに順次送り込んで多色刷の印刷を行なうようにしている。
【０００５】
ここで、水溶性インキを版胴１の外周に噴流状に流しかけるインキ供給装置として、版胴１の外周一側に版胴１の軸方向に長いインキ供給ケースを設け、このインキ供給ケース内に密閉状のインキ供給室と、そのインキ供給室内に水溶性インキを供給するインキ供給口と、版胴の外周に対向して版胴の軸方向に長く延びるインキ流出口とを形成し、前記インキ供給口からインキ供給室内に供給された水溶性インキをインキ流出口から版胴の外周に噴流状に流しかけるようにしたものが従来から知られている。
【発明の開示】
【発明が解決しようとする課題】
【０００６】
ところで、上記従来のインキ供給装置においては、インキ供給ケース内に形成されたインキ供給室が密閉状であるため、特に、冬期等の外気温の低い環境下で印刷を行なった場合、乾燥処理された比較的高温のウエブとの接触によって版胴１の温度が上昇し、その版胴１によってインキ供給室内の水溶性インキが温められるため、インキ供給室の頂壁下面に結露が発生し、その水滴によって以下のような問題が生じていた。
【０００７】
すなわち、水滴が成長して滴下すると、その水滴が水溶性インキに混入してインキ濃度が薄められ、濃度の薄い水溶性インキが版胴１のセル内に供給されてウエブＷに転写されることになり、印刷物に濃淡が生じて印刷不良が発生するという問題があった。
【０００８】
この発明の課題は、結露の発生を防止し、常に最適な印刷物を得ることができるようにしたグラビア印刷機のインキ供給装置を提供することである。
【課題を解決するための手段】
【０００９】
上記の課題を解決するために、この発明においては、外周にセルが形成された版胴の一側上部に、版胴の軸方向に長く延びるインキ供給ケースを設け、そのインキ供給ケースに密閉状のインキ供給室と、そのインキ供給室内に水溶性インキを供給するインキ供給口と、そのインキ供給口からインキ供給室内に供給された水溶性インキを版胴における外周の軸方向のほぼ全長にわたって流しかけるインキ流出口とを設けたグラビア印刷機のインキ供給装置において、前記インキ供給ケースの上面に通電により発熱するヒータを取付けた構成を採用している。
【発明の効果】
【００１０】
上記のように構成すれば、ヒータの発熱によってインキ供給ケースにおけるインキ供給室の頂壁を温めることができるため、特に、外気温の低い環境下での印刷に際してインキ供給室の頂壁下面に結露が発生するのを防止することができる。
【００１１】
このため、水滴の滴下によって水溶性インキが薄められるという不都合の発生はなく、版胴には一定の濃度の水溶性インキが供給されることになり、常に最適な印刷物を得ることができる。
【発明を実施するための最良の形態】
【００１２】
以下、この発明の実施の形態を図１乃至図３に基づいて説明する。図示のように、版胴１は圧胴２の下方でこれに対設されている。この版胴１の外周には印刷図柄に対応して微細なグラビアセル３が形成されている。
【００１３】
版胴１の外周囲には、圧胴２に対する接触位置より回転方向の先行側の上側部に版胴１の上部外周に対して水溶性インキを供給するインキ供給装置１０が設けられている。
【００１４】
また、版胴１の外周囲には、上記接触位置より回転方向の後行側に版胴１の外周面に付着する余分な水溶性インキを掻き取るドクターブレード３０が設けられ、さらに、版胴１の下方には、その外周面から滴下する水溶性インキやドクターブレード３０で掻き取られた水溶性インキを受けるインキ受け皿３１が設けられている。
【００１５】
インキ供給装置１０は、版胴１の軸方向に長く延びるインキ供給ケース１１を有している。
【００１６】
インキ供給ケース１１は、底板１２と、その底板１２上に設けられた頂壁としてのカバー１３とから成り、前記底板１２には版胴１側を上位とする段差が設けられ、その上段側底板１２ａは上方に向けてわん曲していると共に、先端部の側縁と版胴１との間に微小な間隙が設けられている。また、インキ供給ケース１１には両側と後部を覆って密閉状とするために周壁１４が設けられている。
【００１７】
カバー１３は底板１２の下段側底板１２ｂとの間で密閉状のインキ供給室１５を形成すると共に、上段側底板１２ａとの間でインキ流出口１６を形成している。インキ供給室１５の後側の周壁１４には、インキ供給室１５内に水溶性インキを供給するインキ供給口１７が設けられ、そのインキ供給口１７にインキ供給管１８が接続されている。また、インキ供給室１５内には、インキ供給口１７からインキ供給室１５内に供給される水溶性インキを整流させる複数の整流板１９が上下方向に間隔をおいて設けられている。
【００１８】
カバー１３の版胴１に近接する一側部にはインキ流出口１６から流出する水溶性インキが上方に飛散するのを防止する飛散防止板２０が設けられている。また、カバー１３の上面には通電によって発熱するヒータ２１が設けられている。
【００１９】
図２に示すように、底板１２の上段側底板１２ａの下方にはインキングフラップ２２が設けられている。このインキングフラップ２２は弾性を有し、版胴１の外周面に接触して、その接触部上にインキ溜り２３を形成している。なお、インキングフラップ２２を省略して、インキ受け皿３１内に水溶性インキを貯溜し、その貯溜された水溶性インキ中に版胴１の外周下部を漬けるようにしてもよい。
【００２０】
いま、インキ供給口１７からインキ供給室１５内に水溶性インキを供給すると、この水溶性インキは整流板１９によって整流される。インキ供給室１５内に水溶性インキが供給されて滑ると、その水溶性インキは上段側底板１２ａの上面に沿って流れてインキ流出口１６から版胴１の外周面に流しかけられ、版胴１に対して水溶性インキが供給される。
【００２１】
版胴１の外周に付着する余分な水溶性インキはドクターブレード３０によって掻き取られ、グラビアセル３内の水溶性インキが版胴１と圧胴２間に挿通されて図１の矢印方向に走行するウエブＷに転写され、その転写によってウエブＷに印刷が施される。
【００２２】
上記のようなインキ供給による印刷が冬期のように、特に、外気温の低い環境下で行なわれると、乾燥処理された比較的高温のウエブＷとの接触によって版胴１が温められ、その版胴１によりインキ供給装置１０内の水溶性インキが温められて密閉状のインキ供給室１５と外気の温度差によりカバー１３の下面に結露が発生する。その水滴がインキ供給室１５内の水溶性インキに滴下して水溶性インキに混入すると、この水溶性インキの濃度が薄くなって印刷不良が生じることになる。
【００２３】
そこで、外気温の低い環境下での印刷に際しては、ヒータ２１に通電する。その通電によりヒータ２１が発熱し、そのヒータ２１によってカバー１３が温められるため、カバー１３の下面に結露が発生するのを防止することができる。
【００２４】
このため、水溶性インキに水滴が混入することがなく、ウエブＷは常に一定の濃度の水溶性インキによって印刷されるので、常に最適な印刷物を得ることができる。
【図面の簡単な説明】
【００２５】
【図１】この発明に係るグラビア印刷機のインキ供給装置の実施形態を示す縦断正面図
【図２】図１の一部分を拡大して示す断面図
【図３】図２の平面図
【図４】従来のグラビア印刷機を示す概略図
【符号の説明】
【００２６】
１  版胴
３  グラビアセル
１１  インキ供給ケース
１５  インキ供給室
１６  インキ流出口
１７  インキ供給口
２１  ヒータ
【図１】
2005074895.tif 000003
【図２】
2005074895.tif 000004
【図３】
2005074895.tif 000005
【図４】
2005074895.tif 000006
【手続補正書】
【提出日】平成15年9月10日(2003.9.10)
【手続補正１】
【補正対象書類名】明細書
【補正対象項目名】００２０
【補正方法】変更
【補正の内容】
【００２０】
いま、インキ供給口１７からインキ供給室１５内に水溶性インキを供給すると、この水溶性インキは整流板１９によって整流される。インキ供給室１５内に水溶性インキが供給されて溜まると、その水溶性インキは上段側底板１２ａの上面に沿って流れてインキ流出口１６から版胴１の外周面に流しかけられ、版胴１に対して水溶性インキが供給される。